(57)【特許請求の範囲】
【請求項１】
平面視で長方形状をなす着座板と、この着座板の幅方向の一端部側から上方に向かって延びる縦向き姿勢の背もたれ板と、上記着座板もしくは背もたれ板に重なるよう設けられる追加板と、これら各板による組立体の外面に沿って延びる膜体とを備えたソファであって、
上記膜体が防水性にされ、この膜体に上記背もたれ板と追加板とが連結され、この追加板を移動させて上記着座板の幅方向の他端部側から上方に向かって延びる縦向き姿勢にさせると共に上記背もたれ板に対し離れて対面させることにより他の組立体を形成したとき、上記膜体が、上記他の組立体を収容して上方に向かって開く箱形状となるよう変形可能にされると共に、この他の組立体が上記箱形状の膜体の少なくとも一部を保形するようにしたことを特徴とするソファ。
【請求項２】
上記他の組立体を形成する背もたれ板と追加板とに架設され、これら両板の互いの相対位置を保持する位置保持手段が設けられたことを特徴とする請求項１に記載のソファ。
【請求項３】
上記組立体を形成する板同士の間、もしくは上記組立体を形成する板と膜体との間に上記位置保持手段が収納されるようにしたことを特徴とする請求項２に記載のソファ。
【発明の詳細な説明】
【技術分野】
【０００１】
本発明は、主目的が家具であるソファに関するものであって、このソファを、例えば、水害の緊急時に人や家財の保護や、子供の遊び場用の区画体など、より使用頻度の低い副目的のものに変形させて利用できるようにする多目的なソファに関するものである。
【背景技術】
【０００２】
家具として用いられる一般的なソファは、通常、外形寸法が大きいため、このソファの室内における占有空間は大きいものである。
【０００３】
一方、例えば、水害の緊急時に人や家財を保護するため、これらを収容して水面上に浮遊させ、避難させる箱体を常備しておくことが望まれる。従来、このような箱体については、下記特許文献１に示されるものが提案されている。
【先行技術文献】
【特許文献】
【０００４】
【特許文献１】特開平１１−２９１７２号公報
【発明の概要】
【発明が解決しようとする課題】
【０００５】
ところで、上記した一般的なソファは、上記した水害の緊急時には、ほとんど使用されることがなく無用なものである。一方、緊急時に用いられる上記従来の技術の箱体は使用頻度が極めて低いと考えられるため、このような箱体を常備することは、その管理上、煩雑であると共に、上記箱体により室内の空間が無用に狭められることとなって、好ましくない。
【課題を解決するための手段】
【０００６】
本発明は、上記のような事情に注目してなされたもので、本発明の目的は、家具を主目的として通常用いられるソファを、このソファよりも使用頻度の低い副目的のものに利用できるようにして、この副目的のものの常備を不要にさせることである。
【０００７】
請求項１の発明は、平面視で長方形状をなす着座板２と、この着座板２の幅方向（Ｆｒ）の一端部側から上方に向かって延びる縦向き姿勢の背もたれ板３と、上記着座板２もしくは背もたれ板３に重なるよう設けられる追加板４と、これら各板２〜４による組立体５の外面に沿って延びる膜体６とを備えたソファであって、
上記膜体６が防水性にされ、この膜体６に上記背もたれ板３と追加板４とが連結され、この追加板４を移動させて上記着座板２の幅方向の他端部側から上方に向かって延びる縦向き姿勢にさせると共に上記背もたれ板３に対し離れて対面させることにより他の組立体２３を形成したとき、上記膜体６が、上記他の組立体２３を収容して上方に向かって開く箱形状となるよう変形可能にされると共に、この他の組立体２３が上記箱形状の膜体６の少なくとも一部を保形するようにしたことを特徴とするソファである。
【０００８】
請求項２の発明は、上記他の組立体２３を形成する背もたれ板３と追加板４とに架設され、これら両板３，４の互いの相対位置を保持する位置保持手段２７が設けられたことを特徴とする請求項１に記載のソファである。
【０００９】
請求項３の発明は、上記組立体５を形成する板２〜４同士の間、もしくは上記組立体５を形成する板２〜４と膜体６との間に上記位置保持手段２７が収納されるようにしたことを特徴とする請求項２に記載のソファである。
【００１０】
なお、この項において、上記各用語に付記した符号や図面番号は、本発明の技術的範囲を後述の「実施例」の項や図面の内容に限定解釈するものではない。
【発明の効果】
【００１１】
本発明による効果は、次の如くである。
【００１２】
請求項１の発明は、平面視で長方形状をなす着座板と、この着座板の幅方向の一端部側から上方に向かって延びる縦向き姿勢の背もたれ板と、上記着座板もしくは背もたれ板に重なるよう設けられる追加板と、これら各板による組立体の外面に沿って延びる膜体とを備えたソファであって、
上記膜体が防水性にされ、この膜体に上記背もたれ板と追加板とが連結され、この追加板を移動させて上記着座板の幅方向の他端部側から上方に向かって延びる縦向き姿勢にさせると共に上記背もたれ板に対し離れて対面させることにより他の組立体を形成したとき、上記膜体が、上記他の組立体を収容して上方に向かって開く箱形状となるよう変形可能にされると共に、この他の組立体が上記箱形状の膜体の少なくとも一部を保形するようにしている。
【００１３】
このため、家具を主目的として通常用いられるソファから形成された他の組立体と、この他の組立体により保形される箱形状の膜体とにより構成される箱体によれば、例えば、水害の緊急時に、人や家財を上記箱体内に収容して遮水しつつ保護できたり、子供の遊び場など行動範囲を制限するための区画体に利用できたりして、ソファよりも使用頻度の低い副目的のものに利用でき、よって、この副目的のものの常備を不要にさせることができることから、通常、室内での占有空間が大きい上記ソファであるとしても、このソファの有効利用が達成されて有益である。
【００１４】
また、上記したように、膜体に背もたれ板と追加板とが連結されているため、上記各板と膜体とにより、組立体から他の組立体を形成し、かつ、この他の組立体により保形される膜体の箱形状を形成する場合、上記各板と膜体との互いの連結関係が維持されることにより、これら各板と膜体との相対的な位置関係が自由に変動することが防止されて一定の関連性が維持される。よって、その分、上記他の組立体や膜体の箱形状の形成が容易かつ迅速にできる。
【００１５】
請求項２の発明は、上記他の組立体を形成する背もたれ板と追加板とに架設され、これら両板の互いの相対位置を保持する位置保持手段が設けられている。
【００１６】
このため、上記位置保持手段により上記箱体はその形状に、より確実に保形される。よって、この箱体によれば、例えば、水害の緊急時に、人や家財を、収容して遮水しつつ保護できると共に、水面に浮かせて避難させることができ、また、上記箱体を遊戯用の舟として利用することができる。つまり、上記ソファを、より多目的に利用することができて、有益である。
【００１７】
請求項３の発明は、上記組立体を形成する板同士の間、もしくは上記組立体を形成する板と膜体との間に上記位置保持手段が収納されるようにしている。
【００１８】
このため、主目的の家具としてソファを使用するだけで、上記位置保持手段の管理が自動的に達成される。よって、この位置保持手段の紛失が防止されるなど有益である。
【図面の簡単な説明】
【００１９】
【図１】実施例１を示し、ソファの側面断面作用説明図である。
【図２】実施例１を示し、ソファを前方から見たときの斜視展開図である。
【図３】実施例１を示し、ソファを後方から見たときの斜視作用説明図である。
【図４】実施例１を示し、ソファを箱体に変形させたときの斜視展開作用説明図である。
【図５】実施例２を示し、図１に相当する図である。
【発明を実施するための形態】
【００２０】
本発明のソファに関し、家具を主目的として通常用いられるソファを、このソファよりも使用頻度の低い副目的のものに利用できるようにして、この副目的のものの常備を不要にさせる、という目的を実現するため、本発明を実施するための形態は、次の如くである。
【００２１】
即ち、ソファは、平面視で長方形状をなす着座板と、この着座板の幅方向の一端部側から上方に向かって延びる縦向き姿勢の背もたれ板と、上記着座板もしくは背もたれ板に重なるよう設けられる追加板と、これら各板による組立体の外面に沿って延びる膜体とを備えている。
【００２２】
上記膜体が防水性にされる。この膜体に上記背もたれ板と追加板とが連結され、この追加板を移動させて上記着座板の幅方向の他端部側から上方に向かって延びる縦向き姿勢にさせると共に上記背もたれ板に対し離れて対面させることにより他の組立体を形成したとき、上記膜体が、上記他の組立体を収容して上方に向かって開く箱形状となるよう変形可能にされている。また、この他の組立体が上記箱形状の膜体の少なくとも一部を保形することとされている。
【実施例１】
【００２３】
本発明をより詳細に説明するために、その実施例１を添付の図１〜４に従って説明する。
【００２４】
図１〜３中実線において、図中符号１はソファで、その説明の便宜上、矢印Ｆｒで示す水平方向を前方とし、この前方に直交する水平方向を左右とし以下説明する。
【００２５】
上記ソファ１は、左右に長く延び、平面視で長方形をなす着座板２と、この着座板２の幅方向の一端部側（後端部側）である後端部上面から上方に向かって延びる縦向き姿勢の背もたれ板３と、この背もたれ板３の前面に重なるよう設けられる追加板４と、これら各板２〜４による組立体５の外面に沿って延びる防水性の膜体６と、上記着座板２の上面に重なるよう設けられる着座クッション７と、この着座クッション７の後端部上に立設されると共に上記背もたれ板３の前面に重なるよう設けられる背もたれクッション８とを備えている。
【００２６】
上記着座板２は、上下に重ねられる上、下板１１，１２と、これら上、下板１１，１２の各前端縁部を互いに枢支させる枢支部１３とを備えている。
【００２７】
上記各板２〜４は、例えば、多孔性樹脂である発泡ポリスチレン製とされ、ある程度の剛性を有している。なお、上記各板２〜４は、その内部を構成して上記発泡ポリスチレン製とされる芯材板と、この芯材板を覆う防水性で上記膜体６と同材質の表皮とを備えるようにしてもよい。
【００２８】
また、上記膜体６は、汎用のテント等に用いられるものであって、繊維織物の両面を合成樹脂コーティングしたものである。この樹脂は、熱溶着による接合が可能な熱可塑性樹脂のポリ塩化ビニル（ＰＶＣ）、エチレン酢酸ビニル共重合体（ＥＶＡ）、ポリウレタン（ＰＵ）などとされる。
【００２９】
なお、図の理解を容易にするため、上記膜体６の表、裏面のうち、裏面を梨地模様としているが、この膜体６の表、裏面の構成、材質は互いに同じである。
【００３０】
上記膜体６は、その自由状態の平面視で、前後方向に長く延びる長方形状をなしている（図３中一点鎖線）。この膜体６の幅方向（左右方向）の中途部膜体６ａにおけるこの膜体６の長手方向（前後方向）の一端部（後端部）側に上記背もたれ板３が連結されている。この場合、上記膜体６の一端部側の中途部膜体６ａと、この側部膜体６ｂに取り付けられる膜材とにより袋部１５が一体的に形成され、上記膜材は上記膜体６と同材質とされている。そして、この袋部１５に上記背もたれ板３が収容され、これにより、この背もたれ板３が上記膜体６の一端部側の中途部膜体６ａに連結されている。
【００３１】
なお、上記連結は、一体的に連結されていてもよいし、面ファスナー等により着脱可能に連結されていてもよい。
【００３２】
上記膜体６の中途部膜体６ａにおけるこの膜体６の長手方向の他端部（前端部）に上記追加板４が連結されている。この場合、上記膜体６他端部の中途部膜体６ａと、この中途部膜体６ａに取り付けられる膜材とにより他の袋部１６が一体的に形成され、上記膜材は上記膜体６と同材質とされている。そして、この他の袋部１６に上記追加板４が収容され、これにより、この追加板４が上記膜体６の他端部の中途部膜体６ａに連結されている。
【００３３】
上記膜体６の前後方向の中途部の中途部膜体６ａの上面に上記着座板２が載置されている。上記膜体６の一端部の中途部膜体６ａが上記背もたれ板３の後面を覆っている。一方、上記膜体６の前後方向の中途部の中途部膜体６ａが上記着座板２の上面を覆い、かつ、上記膜体６の他端部の中途部膜体６ａが上記追加板４の前面を覆っている。
【００３４】
上記膜体６の一端部の各側部膜体６ｂは、上記背もたれ板３の後面に折り畳まれて、上記背もたれ板３の後面に密着するよう締結具１８により解除可能に締結されている。また、上記膜体６の他端部側の各側部膜体６ｂは、上記各板２〜４の左右各側面を覆うと共に、上記着座板２の上面と追加板４の前面とに折り畳まれて、上記追加板４の前面に密着するよう他の締結具１９により解除可能に締結されている。
【００３５】
上記各締結具１８，１９はバンドで示しているが、バックルや面ファスナーであってもよい。
【００３６】
上記各板２〜４の左右各側面と、これら各側面を覆う膜体６の中途部膜体６ａとの間に、それぞれ三角形状の保形板２１が介設されている。これら各保形板２１により三角形状に保形された上記膜体６の側部膜体６ｂの各部分は、上記着座板２と追加板４とで挟まれた空間の左右各端部を、それぞれ左右の外側方から覆っている。なお、上記各保形板２１は設けなくてもよい。
【００３７】
図１中二点鎖線と図４中実線とで示すように、上記ソファ１における上記組立体５の追加板４を移動させることにより、この追加板４を上記着座板２の幅方向の他端部側（前端部側）であるこの着座板２の前端部上面から上方に向かって延びる縦向き姿勢にさせると共に上記背もたれ板３に対し前方に離れて対面させることにより他の組立体２３が形成可能とされている。そして、この他の組立体２３と、この他の組立体２３の形成に伴う膜体６の変形とにより箱体２５が形成される。この箱体２５は、水害時などの緊急時に、人や家財などを収容して遮水しつつ保護したり、子供の遊び場用の区画体等に利用したりするためのものである。
【００３８】
具体的には、上記ソファ１の組立体５から箱体２５の他の組立体２３を形成するに際しては、上記他の締結具１９による締結をしたままで、図１中一点鎖線で示すように、上記膜体６の他端部側を前方に展開させると共に、上記追加板４を前方に移動Ａさせ、かつ、上記着座板２の下板１２に対し上記枢支部１３を中心として上板１１を前方に回動Ｂして展開させる。そして、上記追加板４の前方への移動Ａと着座板２の上板１１の回動Ｂとによる展開を進行させて、図１中二点鎖線と図４中実線のように、展開させた上記着座板２の上板１１の前端部の上面に上記追加板４を縦向き姿勢で載置させる。
【００３９】
すると、上記膜体６の左右各側部膜体６ｂは、上記他の組立体２３の着座板２の上、下板１１，１２、背もたれ板３、および追加板４で囲まれた空間と、これら各板２〜４の左右各側面とをそれぞれ左右各外側方から覆うこととなる。つまり、上記膜体６は、上記他の組立体２３を収容して上方に向かって開く箱形状となるよう変形させられると共に、この他の組立体２３は上記箱形状の膜体６の少なくとも一部である前、後部と底部とを保形する。これにより、上記箱体２５が形成される。
【００４０】
図１中二点鎖線、および図４において、上記箱体２５における他の組立体２３を形成する背もたれ板３と追加板４とに架設され、これら両板３，４の互いの相対位置をそのままに保持する左右一対の位置保持手段２７，２７が設けられる。これら各位置保持手段２７は、前後の長手方向に伸縮可能なねじジャッキである位置保持手段２７とされる。
【００４１】
具体的には、上記各着位置保持手段２７を伸長させて上記他の組立体２３の背もたれ板３と追加板４とを前後で突っ張ることと、これにより上記膜体６に生じる引張応力とにより、上記箱体２５がその形状のままに保形される。
【００４２】
なお、上記箱体２５をソファ１に戻すには、上記と逆の手順によればよい。
【００４３】
図１〜３図示の上記組立体５を形成する背もたれ板３と追加板４との間に、図示しないが、上記各位置保持手段２７が収納され、これら各位置保持手段２７は係止具３０により上記背もたれ板３に係脱可能に係止されて、収納される。そして、図４中二点鎖線で示すように、上記組立体５から他の組立体２３を形成したときには、上記箱体２５の他の組立体２３を形成する背もたれ板３の内面に上記各位置保持手段２７が露出することとされる。このため、これら各位置保持手段２７を上記背もたれ板３から取り外して、上記他の組立体２３を形成する背もたれ板３と追加板４とに架設させることは容易にできる。また、上記各位置保持手段２７を上記係止具３０により背もたれ板３に再び取り付けることも容易にできる。
【００４４】
特に、図３中三点鎖線で示すように、上記ソファ１における組立体５、もしくは箱体２５を構成する他の組立体２３の各板２〜４の移動と、これに伴う膜体６の変形とによりベッド３２が形成可能とされている。このベッド３２は、主に、人を載置させて遮水しつつ保護するためのものである。
【００４５】
具体的には、上記ソファ１や箱体２５において、各締結具１８，１９による締結を解除し、特に、上記背もたれ板３を後方に、かつ、追加板４を前方にそれぞれ回動Ｃさせることにより、上記着座板２の幅方向（前後方向）に向かって各板２〜４と膜体６とを展開させれば、第１，３，４中三点鎖線で示すように、膜体６の中途部膜体６ａは全体的に水平に延び、この膜体６の中途部膜体６ａの上面に、それぞれ水平に延びる上記背もたれ板３、着座板２の上、下板１１，１２、および追加板４が、この順序で上記着座板２の幅方向（前後方向）に並設されてベッド３２が形成されるようになっている。
【００４６】
なお、上記ベッド３２をソファ１もしくは箱体２５に戻すには、上記と逆の手順によればよい。
【００４７】
上記構成によれば、膜体６が防水性にされ、この膜体６に背もたれ板３と追加板４とが連結され、この追加板４を移動させて上記着座板２の幅方向の他端部側から上方に向かって延びる縦向き姿勢にさせると共に上記背もたれ板３に対し離れて対面させることにより他の組立体２３を形成したとき、上記膜体６が、上記他の組立体２３を収容して上方に向かって開く箱形状となるよう変形可能にされると共に、この他の組立体２３が上記箱形状の膜体６の少なくとも一部を保形するようにしている。
【００４８】
このため、家具を主目的として通常用いられるソファ１から形成された他の組立体２３と、この他の組立体２３により保形される箱形状の膜体６とにより構成される箱体２５によれば、例えば、水害の緊急時に、人や家財を上記箱体２５内に収容して遮水しつつ保護できたり、子供の遊び場など行動範囲を制限するための区画体に利用できたりして、ソファ１よりも使用頻度の低い副目的のものに利用でき、よって、この副目的のものの常備を不要にさせることができることから、通常、室内での占有空間が大きい上記ソファ１であるとしても、このソファ１の有効利用が達成されて有益である。
【００４９】
また、上記したように、膜体６に背もたれ板３と追加板４とが連結されているため、上記各板２〜４と膜体６とにより、組立体５から他の組立体２３を形成し、かつ、この他の組立体２３により保形される膜体６の箱形状を形成する場合、上記各板２〜４と膜体６との互いの連結関係が維持されることにより、これら各板２〜４と膜体６との相対的な位置関係が自由に変動することが防止されて一定の関連性が維持される。よって、その分、上記他の組立体２３や膜体６の箱形状の形成が容易かつ迅速にできる。
【００５０】
また、前記したように、他の組立体２３を形成する背もたれ板３と追加板４とに架設され、これら両板３，４の互いの相対位置を保持する位置保持手段２７が設けられている。
【００５１】
このため、上記位置保持手段２７により上記箱体２５はその形状に、より確実に保形される。よって、この箱体２５によれば、例えば、水害の緊急時に、人や家財を、収容して遮水しつつ保護できると共に、水面に浮かせて避難させることができ、また、上記箱体２５を遊戯用の舟として利用することができ、つまり、上記ソファ１を、より多目的に利用することができて、有益である。
【００５２】
また、前記したように、組立体５を形成する板２〜４同士の間、もしくは上記組立体５を形成する板２〜４と膜体６との間に位置保持手段２７が収納されるようにしている。
【００５３】
このため、主目的の家具としてソファ１を使用するだけで、上記位置保持手段２７の管理が自動的に達成される。よって、この位置保持手段２７の紛失が防止されるなど有益である。
【００５４】
また、前記したように、各板２〜４と膜体６との展開により、上記着座板２の幅方向（Ｆｒ）に延びる上記膜体６の上面に、それぞれ水平方向に延びる上記着座板２、背もたれ板３、および追加板４が上記幅方向（Ｆｒ）に並設されるようにしている。
【００５５】
このため、上記した各板２〜４と膜体６との展開により、遮水性の膜体６上で、各板２〜４によりベッド３２が形成可能である。よって、濡れた面上にベッド３２を設定する場合でも、このベッド３２上の人を上記膜体６により遮水しつつできることから、上記ソファ１の有効利用が更に達成されて、極めて有益である。
【００５６】
また、上記したように、膜体６に背もたれ板３と追加板４とが連結されているため、上記各板２〜４と膜体６とにより上記ベッド３２を形成する場合、上記各板２〜４と膜体６との互いの連結関係が維持されることにより、これら各板２〜４と膜体６との相対的な位置関係が自由に変動することが防止されて一定の関連性が維持される。よって、その分、上記ソファ１からのベッド３２の形成が容易かつ迅速にできる。
【００５７】
なお、以上は図示の例によるが、着座板２の上板１１と下板１２とは一体的に形成してもよく、これら上板１１と下板１２とは互いに枢結せずに個別に設けてもよい。また、上記着座板２も上記膜体６に連結してもよい。また、着座クッション７と背もたれクッション８とは設けなくてもよい。また、上記背もたれ板３の後面に重ねられる膜体６の一端部は、この膜体６と同材質の一枚の膜材で形成してもよく、この場合、上記締結具１８は不要となる。
【００５８】
また、上記位置保持手段２７は、上記箱体２５の背もたれ板３と追加板４との各上端部にその上方から嵌脱可能に嵌合する前後一対の倒立Ｕ字状嵌合体と、これら前、後嵌合部同士を連結する連結棒、もしくは長手方向に伸縮可能なねじジャッキとを備えたものであってもよい。上記した位置保持手段２７によれば、上記箱体２５は、より強固に保形される。
【００５９】
また、上記位置保持手段２７の収納は、上記組立体５を形成する着座板２の上、下板１１，１２の間でもよく、各板２〜４と膜体６との間であってもよい。
【００６０】
以下の図５は、実施例２を示している。この実施例２は、前記実施例１と構成、作用効果において多くの点で共通している。そこで、これら共通するものについては、図面に共通の符号を付してその重複した説明を省略し、異なる点につき主に説明する。また、これら実施例における各部分の構成を、本発明の目的、作用効果に照らして種々組み合せてもよい。
【実施例２】
【００６１】
本発明をより詳細に説明するために、その実施例２を添付の図５に従って説明する。
【００６２】
図５中実線において、上記ソファ１は、着座板２と、この着座板２の後端部側であるこの着座板２の後方隣接位置から上方に向かって延びる縦向き姿勢の背もたれ板３と、上記着座板２の上面に重ねられる追加板４とを備えている。この場合、上記着座板２、背もたれ板３、および追加板４はそれぞれ十分の厚さを有しており、このため、上記着座クッション７と背もたれクッション８とが不要とされている。
【００６３】
図５中二点鎖線で示すように、上記ソファ１を構成する組立体５の追加板４の移動により、この追加板４を上記着座板２の前端部側であるこの着座板２の前方隣接位置から上方に向かって延びる縦向き姿勢にさせると共に上記背もたれ板３に対し前方に離れて対面させることにより他の組立体２３が形成可能とされている。そして、この他の組立体２３と、この他の組立体２３の形成に伴う膜体６の変形とにより箱体２５が形成される。
【００６４】
上記箱体２５の背もたれ板３と追加板４とは上記着座板２を前後から挟む構造とされている。このため、上記箱体２５は、より強固に保形される。また、上記箱体２５の背もたれ板３と追加板４とに架設される位置保持手段２７は、上記背もたれ板３と追加板４との間に挿抜可能に挿入される板材とされている。
【符号の説明】
【００６５】
１    ソファ
２    着座板
３    背もたれ板
４    追加板
５    組立体
６    膜体
６ａ  中途部膜体
６ｂ  側部膜体
１１  上板
１２  下板
１３  枢支部
１５  袋部
１６  他の袋部
１８  締結具
１９  他の締結具
２３  他の組立体
２５  箱体
２７  位置保持手段
３２  ベッド
Ａ    移動
Ｂ    回動
Ｃ    回動
【図１】
0005733792.tif 000002
【図２】
0005733792.tif 000003
【図３】
0005733792.tif 000004
【図４】
0005733792.tif 000005
【図５】
0005733792.tif 000006